(57)【要約】【課題】液晶表示装置において，その起動パターンに関わらず常に適切な液晶表示パネルの加速駆動処理を実現できること。【解決手段】制御回路４が，温度センサを通じて検出される参照温度に基づいて，液晶表示パネル１５の加速駆動処理において階調信号の補正に用いる補正パラメータを選択する。さらに，制御回路４が，液晶表示装置が起動した際に，複数の起動パターンのうちのいずれのパターンで起動したかを判別し，その判別結果に応じて，前記参照温度の検出用の温度センサを，それぞれ異なる基板に実装された複数の温度センサＳ１，Ｓ２の中から選択する。【選択図】図１
2010002562.tif 000002
【特許請求の範囲】
【請求項１】
画像の階調信号をその変化に応じて補正して液晶表示パネルの駆動部に供給するとともに，温度センサを通じて検出される参照温度に基づいて前記階調信号の補正に用いられる補正パラメータを変更する液晶表示装置であって，
当該液晶表示装置が起動した際に複数の起動パターンのうちのいずれのパターンで起動したかを判別する起動パターン判別手段と，
当該液晶表示装置が起動してから予め定められた条件が成立するまでの間における前記参照温度の検出用の温度センサを，それぞれ異なる基板に実装された複数の温度センサの中から，前記起動パターン判別手段の判別結果に応じて選択する温度センサ選択手段と，
を具備してなることを特徴とする液晶表示装置。
【請求項２】
前記予め定められた条件が成立した後における前記参照温度の検出用の温度センサを，前記温度センサ選択手段により選択された温度センサから予め定められた第１の温度センサへ切り換える温度センサ切替手段を具備してなる請求項１に記載の液晶表示装置。
【請求項３】
画像信号の処理を実行する画像信号処理デバイス及び前記第１の温度センサが実装された第１の基板と前記液晶表示パネルを照明するバックライトへの給電調節機器及び第２の温度センサが実装された第２の基板とを具備し，
前記起動パターン判別手段が，
前記画像信号処理デバイスへの通電及び前記第２の基板を通じた前記バックライトへの通電の両方が停止された状態からそれらへの通電が開始されて起動する第１の起動パターンと，前記画像信号処理デバイスへの通電中に前記第２の基板を通じた前記バックライトへの通電が開始されて起動する第２の起動パターンとを判別し，
前記温度センサ選択手段が，前記起動パターン判別手段の判別結果が前記第１の起動パターンであるときに前記第１の温度センサのみを，前記第２の起動パターンであるときに前記第２の温度センサを含む１つ又は複数の温度センサを選択してなる請求項２に記載の液晶表示装置。
【請求項４】
前記予め定められた条件が，前記参照温度が前記第１の温度センサの検出温度以上になったという条件である請求項３に記載の液晶表示装置。
【請求項５】
前記予め定められた条件が，前記参照温度が予め設定された温度以上になったという条件である請求項３に記載の液晶表示装置。
【請求項６】
前記予め定められた条件が，当該液晶表示装置が起動してから予め定められた時間が経過したという条件である請求項３に記載の液晶表示装置。
【発明の詳細な説明】
【技術分野】
【０００１】
本発明は，画像の階調信号をその変化に応じて補正して液晶表示パネルの駆動部に供給する機能を備えた液晶表示装置に関するものである。
【背景技術】
【０００２】
液晶表示装置において，液晶表示パネルに設けられた液晶素子に，画像信号の各フレームにおけるＲ，Ｇ，Ｂ３原色それぞれの階調信号のレベルに応じた電圧（階調電圧）が印可されることにより，液晶表示パネルに画像信号に対応した画像が表示される。
液晶素子は，応答速度が比較的遅い性質，即ち，印加された階調電圧の変化に対してフィルタ特性の変化が遅れる性質を有している。
そこで，液晶表示装置は，特許文献１〜３等に示されるように，入力される画像の階調信号をその変化に応じて補正した上で液晶表示パネルの駆動部に供給する加速駆動処理を行う機能を有する場合が多い。この加速駆動処理は，入力される画像信号における１つ前のフレームから今回のフレームへの階調信号のレベル変化に対し，液晶表示パネルの駆動部に供給する階調信号のレベル変化をオーバーシュートさせる処理である。これにより，液晶素子に供給される階調電圧がオーバーシュートするが，液晶素子のフィルタ特性は，オーバーシュートすることなく目標状態へ速やかに変化し，液晶表示パネルの動画表示の応答性が良くなる。
【０００３】
また，液晶素子の応答速度は，温度依存性が強いことが知られている。そのため，特許文献３に示されるように，前記加速駆動処理における階調信号補正用の補正パラメータを，温度センサを通じて検出される温度（以下，参照温度という）に基づいて変更することが有効である。
また，前記参照温度を検出する温度センサは，例えば特許文献３に示されるように，液晶表示パネル自体に設けられることが望ましい。しかしながら，実際には，画像を表示する透明体である液晶表示パネルに，表示画像に影響を与えないように温度センサを設けることは困難である。そのため，前記参照温度を検出温度センサは，装置内の電子基板のいずれかに実装されたサーミスタ等であることが一般的である。ここで，バックライトへの給電を調節するインバータ回路や電源回路等の温度は，稼動中において，その発熱作用により液晶表示パネルの温度とは全く異なる挙動を示す。そのため，前記参照温度を検出する温度センサは，発熱の影響が比較的小さく，その検出温度が液晶表示パネルの温度と似た挙動を示す回路に実装されることが望ましい。
一般に，液晶表示装置は，電源回路が実装された電源基板や，バックライトの光源に対する供給電力を調節するインバータ回路が実装されたインバータ回路基板，画像処理を行うデバイスやそれを制御するＭＰＵ等が実装されたメイン制御基板等を備えている。そして，前記メイン制御基板は，前記インバータ回路基板や前記電源回路基板等に比べ，発熱の影響が比較的小さく前記参照温度を検出する温度センサの実装基板に適している。
【特許文献１】特開２０００−２３１０９１号公報
【特許文献２】特開２００３−２０７７６１号公報
【特許文献３】特開２００６−１２６６２７号公報
【発明の開示】
【発明が解決しようとする課題】
【０００４】
しかしながら，前記メイン制御基板も，液晶表示パネルの温度と大きく異なる挙動を示す場合がある。以下，そのことについて説明する。
デジタル放送対応型の液晶テレビジョン受像機（液晶表示装置の一例）において，デジタルチューナや画像信号を処理するデバイス（以下，画像信号処理デバイスという）は，その起動に比較的長い時間（例えば，１０〜２０秒程度）を要することが知られている。そのため，昨今の液晶テレビジョン受像機は，省電力を優先する待機状態（以下，完全待機状態という）と，起動の速さを優先する待機状態（以下，中間待機状態という）との２種類の待機状態を選択可能に構成されている。前記完全待機状態は，インバータ回路，液晶駆動回路，デジタルチューナ及び画像信号処理デバイス等，ほとんどのデバイスへの通電が停止された状態である。一方，前記中間待機状態は，デジタルチューナ及び画像信号処理デバイス等の起動時間の長いデバイスへの通電がなされたまま，インバータ回路や液晶駆動回路等への通電が停止された待機状態である。
図２は，液晶表示装置の起動後における各基板に実装された温度センサの検出温度の変化を表すグラフである。グラフの横軸は，装置起動後の経過時間である。
図２に示されるように，液晶表示装置が前記完全待機状態から起動した場合，前記メイン制御基板に実装された温度センサの検出温度Ｔ１は，液晶表示パネルの温度Ｔ０と相関の高い挙動を示す。
ここで，前記画像信号処理デバイスが実装された前記メイン制御基板に実装された温度センサは，前記完全待機状態の検出温度Ｔ１よりも前記中間待機状態の検出温度Ｔ１’の方が高温になる。
そのため，液晶表示装置が前記中間待機状態から起動した場合，前記メイン制御基板に実装された温度センサの検出温度Ｔ１’は，起動後の変化幅が小さく，液晶表示パネルの温度Ｔ０の適切な指標とならない。
また，前記インバータ回路基板に実装された温度センサの検出温度Ｔ２は，起動パターンに関わらず，起動後しばらくの間は液晶表示パネルの温度Ｔ０と比較的相関の高い挙動を示すが，その後は液晶表示パネルの温度Ｔ０とは全く異なる挙動を示す。
以上に示したことから，前記参照温度を検出する温度センサが固定された従来の液晶表示装置は，起動パターンの違いにより，前記加速駆動処理における階調信号補正用の補正パラメータが適切に設定されず，良好な画質が得られない状況が生じるという問題点があった。
従って，本発明は上記事情に鑑みてなされたものであり，その目的とするところは，液晶表示装置において，その起動パターンに関わらず常に適切な液晶表示パネルの加速駆動処理を実現できる液晶表示装置を提供することにある。
【課題を解決するための手段】
【０００５】
上記目的を達成するために本発明に係る液晶表示装置は，画像の階調信号をその変化に応じて補正して液晶表示パネルの駆動部に供給するとともに，温度センサを通じて検出される参照温度に基づいて前記階調信号の補正に用いられる補正パラメータを変更するものであり，次の（１）及び（２）に示される各構成要素を備える。なお，画像の階調信号をその変化に応じて補正して液晶表示パネルの駆動部に供給する処理には，前記加速駆動処理が含まれる。
（１）当該液晶表示装置が起動した際に複数の起動パターンのうちのいずれのパターンで起動したかを判別する起動パターン判別手段。
（２）当該液晶表示装置が起動してから予め定められた条件が成立するまでの間における前記参照温度の検出用の温度センサを，それぞれ異なる基板に実装された複数の温度センサの中から，前記起動パターン判別手段の判別結果に応じて選択する温度センサ選択手段。
本発明に係る液晶表示装置においては，液晶表示パネルの駆動部に供給する階調信号の補正パラメータを決定する際に参照される温度（前記参照温度）を検出する温度センサが，装置の起動パターンに応じて適切に選択される。従って，本発明によれば，起動パターンに関わらず常に適切な液晶表示パネルの加速駆動処理を実現できる。
また，前記参照温度の検出に適した温度センサは，装置内の温度が安定する定常状態になれば，起動パターンに関わらず特定の温度センサに固定される。
そこで，本発明に係る液晶表示装置が，さらに次の（３）に示される構成要素を備えることが考えられる。
（３）前記予め定められた条件が成立した後における前記参照温度の検出用の温度センサを，前記温度センサ選択手段により選択された温度センサから予め定められた第１の温度センサへ切り換える温度センサ切替手段。
【０００６】
より具体的には，本発明に係る液晶表示装置が，さらに次の（４）〜（６）に示される各構成を有することが考えられる。
（４）本発明に係る液晶表示装置が，次の第１の基板及び第２の基板を備える。前記第１の基板は，画像信号の処理を実行する画像信号処理デバイス及び前記第１の温度センサが実装された基板である。また，前記第２の基板は，前記液晶表示パネルを照明するバックライトへの給電調節機器及び第２の温度センサが実装された基板である。
（５）前記起動パターン判別手段が，少なくとも次の第１の起動パターンと第２の起動パターンとを判別する。前記第１の起動パターンは，前記画像信号処理デバイスへの通電及び前記第２の基板を通じた前記バックライトへの通電の両方が停止された状態からそれらへの通電が開始されて起動する起動パターンである。前記第２の起動パターンは，前記画像信号処理デバイスへの通電中に前記第２の基板を通じた前記バックライトへの通電が開始されて起動する起動パターンである。
（６）前記温度センサ選択手段が，前記起動パターン判別手段の判別結果が前記第１の起動パターンであるときに前記第１の温度センサのみを，前記第２の起動パターンであるときに前記第２の温度センサを含む１つ又は複数の温度センサを選択する。
ここで，前記温度センサ選択手段により複数の温度センサが選択された場合，例えば，それらの検出温度の平均温度（加重平均温度を含む）が前記参照温度とされればよい。
なお，前記第１の基板は前記メイン制御基板に相当し，前記第２の基板は前記インバータ回路基板に相当する。また，前記第１の起動パターンは，前記完全待機状態から起動した起動パターンに相当し，前記第2の起動パターンは，前記中間待機状態から起動した起動パターンに相当する。
また，前記予め定められた条件としては，次の３つの条件のいずれかが考えられる。
・前記参照温度が前記第１の温度センサの検出温度以上になったという条件。
・前記参照温度が予め設定された温度以上になったという条件。
・当該液晶表示装置が起動してから予め定められた時間が経過したという条件。
【発明の効果】
【０００７】
本発明によれば，起動パターンに関わらず常に適切な液晶表示パネルの加速駆動処理を実現できる液晶表示装置を提供できる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る液晶表示装置の一例である液晶テレビジョン受像機Ｘの概略構成を表すブロック図，図２は液晶テレビジョン受像機Ｘにおける複数の基板に実装された温度センサの検出温度の変化を表すグラフ，図３は階調信号の変換テーブルの一例を表す図，図４は液晶テレビジョン受像機Ｘにおける複数の基板に実装された温度センサの検出温度及びその平均値の変化を表すグラフである。
【０００９】
まず，図１に示されるブロック図を参照しつつ，本発明の実施形態に係る液晶表示装置の一例である液晶テレビジョン受像機Ｘの構成について説明する。
図１に示すように，液晶テレビジョン受像機Ｘは，チューナ１，外部信号入力部２，復調・分離回路３，映像復号回路１１，映像選択回路１２，映像処理回路１３，液晶ドライバ１４，液晶表示パネル１５，調光回路１６，バックライト１７，音声復号回路２１，音声選択回路２２，音声処理回路２３，アンプ２４，スピーカ２５，制御回路４，スイッチ回路５，リモコン受光部６，リモコン７，通電切替回路８，２つの温度センサ（第１サーミスタＳ１及び第２サーミスタＳ２）等を備えている。
【００１０】
前記チューナ１は，入力されたテレビジョン放送信号から放送中のコンテンツ（放送番組）の信号を抽出する電子部品である。より具体的には，前記チューナ１は，前記制御回路４により選択を指示された放送番組の信号が含まれる搬送波周波数成分の信号を抽出し，その抽出信号を後段の復調・分離回路３に伝送する。なお，前記チューナ１は，放送媒体（地上波，ＢＳ，ＣＳ等）ごとに個別に設けられる。
前記復調・分離回路３は，前記チューナ１から伝送されてきた搬送波周波数成分からトランスポートストリーム信号（Transport Stream信号：以下，ＴＳ信号）を復調する。さらに，前記復調・分離回路３は，抽出されたＴＳ信号から，視聴される放送番組に対応した映像信号及び音声信号，並びに付加データ等を分離して抽出する。さらに，前記復調・分離回路３は，前記制御回路４から受けたＰＩＤ（Packet IDentification)に応じて，視聴対象となる放送番組の映像信号及び音声信号を抽出し，各信号を前記映像復号回路１１及び前記音声復号回路２１それぞれに伝送する。
また，前記復調・分離回路３は，ＴＳ信号から，付加データであるＳＩ（Service Information）等を抽出して前記制御回路４に伝送する。このＳＩは，ＥＰＧ（電子番組ガイド）の情報（例えば，番組名，番組のジャンル，放送時間等を示す情報）が多重化されたデータである。
【００１１】
また，前記外部信号入力部２は，外部装置から映像信号及び音声信号を入力する信号入力インターフェースである。
また，前記映像復号回路１１は，前記復調・分離回路３から伝送される映像信号を復号し，復号した映像信号を前記映像選択回路５に伝送する。同様に，前記音声復号回路２１は，前記復調・分離回路３から伝送される音声信号を復号し，復号した音声信号を前記音声選択回路２２に伝送する。
前記映像選択回路１２は，前記制御回路４からの制御指令に従って，入力される複数のコンテンツの映像信号の中から，１つ又は複数の映像信号を選択して前記映像処理回路１３へ伝送する。この映像選択回路１２に入力される信号には，前記映像復号回路１１を通じて入力される放送番組のコンテンツの映像信号と，前記外部信号入力部２を通じて入力される外部入力コンテンツの映像信号とが含まれる。
【００１２】
また，前記映像処理回路１３は，前記制御回路４からの制御指令に従って，コンテンツの画像を前記液晶表示パネル１５に表示させるために前記液晶ドライバ１４に供給するフレーム画像信号を生成する。
例えば，前記映像処理回路１３は，前記制御回路４からの制御指令に従って，１つ又は複数のコンテンツの画像が全表示領域の中でレイアウトされた画像を表示するためのフレーム画像信号を生成する。
また，前記映像処理回路１３は，入力されるコンテンツの画像信号における階調信号をその変化に応じて補正し，補正後の階調信号を含む前記フレーム画像信号を前記液晶ドライバ１４に供給する前記加速駆動処理を行う。
具体的には，前記映像処理回路１３は，最新フレームの画像信号と，その１つ前の（前回の）フレームの画像信号とを一時記憶するフレームメモリ１３ａを備えている。そして，前記映像処理回路１３は，前記フレームメモリ１３ａに記憶された信号を参照し，前回（１つ前）のフレームから今回のフレームへの階調信号のレベル変化に対し，前記液晶ドライバ１４に供給する階調信号のレベル変化をオーバーシュートさせる補正を行う。
【００１３】
図３は，前記加速駆動処理における階調信号の変換テーブルの一例である。
図３に示されるように，前記加速駆動処理に用いられる補正パラメータは，前回（１つ前）のフレームから今回のフレームへの階調信号のレベル変化に対し，前記液晶ドライバ１４に供給する階調信号のレベル変化をオーバーシュートさせるようなパラメータとなっている。なお，前回及び今回の階調信号のレベルが，図３に示される前記変換テーブルに設定されたレベルと異なる場合，前記変換テーブルに設定されたレベルに基づく補間処理により，補正後の階調信号のレベルが算出され，補正後の階調信号が前記液晶ドライバ１４へ供給される。
【００１４】
前記液晶ドライバ１４は，前記映像処理回路１３から所定周期で順次伝送されてくる前記フレーム画像信号に基づいて前記液晶表示パネル１５を制御し，そのフレーム画像信号に対応する１フレーム分（１コマ）の画像を前記液晶表示パネル１５に順次表示させる回路である。
また，前記液晶表示パネル１５は，前記液晶ドライバ１４による制御に応じて，前記フレーム画像信号に対応する映像を表示する。
また，前記バックライト１７は，前記液晶表示パネル１５の背面側に配列された複数の光源の光により，前記液晶表示パネル１５の表示領域を背面側から照明するものである。
また，前記調光回路１６は，前記制御回路４からの制御指令に従って，前記バックライト１７の光源に対する供給電力を調節することにより，前記バックライト１７の発光の明るさをＰＷＭ制御により調節するインバータ回路である。
【００１５】
前記音声復号回路２１は，前記復調・分離回路３から伝送されてくる音声信号を復号し，復号した音声信号を前記音声選択回路２２に伝送する。
前記音声選択回路２２は，前記制御回路４からの制御指令に従って，入力される複数の音声信号の中から１つの音声信号を選択して前記音声処理回路２３へ伝送する回路である。前記音声選択回路２２に入力される音声信号には，前記チューナ１により選局された放送番組のコンテンツの音声信号（前記音声復号回路２１を通じて入力される音声信号）と，前記外部信号入力部２を通じて入力される音声信号とが含まれる。
前記音声処理回路２３は，前記制御回路４からの指示に従って，前記音声選択回路２２により選択された音声信号に対して各種信号処理を行うものである。例えば，前記スピーカ２５の特性に合わせたイコライズ処理や，サラウンド処理等を行う。
前記アンプ２４は，前記音声処理回路２３による処理後の音声信号を，前記制御回路４からの指示に従って増幅或いは減衰させる音量調節処理を行い，前記スピーカ２５に出力するものである。
【００１６】
前記リモコン受光部６は，当該液晶テレビジョン受像機Ｘの操作用のリモコン７（リモート操作器）から，所定の信号伝送プロトコル（いわゆるリモコンプロトコル）に従って，赤外線による無線信号受信を行う信号伝送インターフェースである。そして，前記リモコン受光部６は，赤外線信号から前記リモコン７に対する操作入力情報を表す信号を抽出し，その信号を前記制御回路４に伝送する。
液晶テレビジョン受像機Ｘにおいては，画像信号の処理を実行する画像信号処理デバイスを含む前記復調・分離回路３，前記映像復号回路１１，前記映像選択回路１２及び前記映像処理回路１３，並びにそれらを制御する前記制御回路４と，一方の温度センサである第１サーミスタＳ１とは，１つの電子基板であるメイン制御基板Ｂ１に実装されている。このメイン制御基板Ｂ１には，音声信号の処理を実行するデバイスを含む前記音声復号回路２１，前記音声選択回路２２及び前記音声処理回路２３や，前記スイッチ回路５等も実装されている。
また，前記液晶表示パネル１５を照明する前記バックライト１７への給電調節機器が実装された前記調光回路１６（インバータ回路）及び他方の温度センサである第２サーミスタＳ２とは，１つの電子基板であるインバータ回路基板Ｂ２に実装されている。
従って，前記第１サーミスタＳ１の検出温度は，当該液晶テレビジョン受像機Ｘの起動パターンに応じて，図２に示される検出温度Ｔ１又はＴ１’の挙動を示す。また，前記第２サーミスタＳ２の検出温度は，当該液晶テレビジョン受像機Ｘの起動パターンに関わらず，図２に示される検出温度Ｔ２の挙動を示す。なお，起動パターンについては後述する。
また，前記外部信号入力部２を構成する回路は，外部からの入力信号の接続端子等とともに１つの電子基板である端子基板Ｂ３に実装されている。
【００１７】
前記通電切替回路８は，当該液晶テレビジョン受像機Ｘが備える回路の一部に対する通電及び通電の遮断を切り替える回路である。
具体的には，前記通電切替回路８は，２つのグループに区分された第１の回路グループ及び第２の回路グループそれぞれに対する通電有無を個別に切り替えることができる。
前記第１の回路グループには，前記チューナ１と，画像信号処理デバイスを含む前記復調・分離回路３，前記映像復号回路１１，前記映像選択回路１２及び前記映像処理回路１３と，音声信号処理デバイスを含む前記音声復号回路２１，前記音声選択回路２２及び前記音声処理回路２３とが含まれる。
また，前記第２の回路グループには，前記調光回路１６及び前記液晶ドライバ１４等が含まれる。
そして，前記通電切替回路８は，前記制御回路４からの制御指令に従って前記第１の回路グループ及び前記第２の回路グループに対する通電状態を切り替えることにより，当該液晶テレビジョン受像機Ｘの通電状態を，完全待機状態，中間待機状態及び稼動状態の３状態に切り替える。
前記完全待機状態は，前記第１の回路グループ及び前記第２の回路グループの両方に対する通電が遮断された通電状態である。
前記中間待機状態は，長い起動時間を要する画像信号処理デバイスを含む前記第１の回路グループに対する通電が行われ，前記第２の回路グループに対する通電が遮断された通電状態である。
前記稼動状態は，前記第１の回路グループ及び前記第２の回路グループの両方に対する通電が行われた通電状態である。
前記スイッチ回路５は，前記第１サーミスタＳ１の検出信号と，前記第２サーミスタＳ２の検出信号とを入力し，そのいずれかを選択して出力する回路である。その出力信号の選択（切り替え）は，前記制御回路４からの制御信号に従って行われる。また，前記スイッチ回路５の出力信号は，前記制御回路４が備えるＭＰＵ４ａに伝送される。
【００１８】
前記制御回路４は，演算手段であるＭＰＵ４ａ，記憶手段であるＲＯＭ４ｂ（ＥＰＲＯＭ）及びＥＥＰＲＯＭ４ｃを備え，前記ＭＰＵ４ａが，制御プログラムを実行することによって当該液晶テレビジョン受像機Ｘ全体を制御する。
前記ＲＯＭ４ｂには，前記ＭＰＵ４ａによって実行される制御プログラムが予め格納されている。また，前記ＥＥＰＲＯＭ４ｃには，前記ＭＰＵ４ａが実行する処理において読み書き（参照又は書き込み）される各種データが記憶される。
なお，以降の説明において，前記制御回路４が実行する処理は，前記ＭＰＵ４ａが前記ＲＯＭ４ｂに記憶された制御プログラムを実行することによって実現される。
例えば，前記制御回路４は，前記リモコン７及び前記リモコン受光部６を通じてチャンネル選局や音量調節の情報を取得し，その取得情報の内容に応じて前記チューナ１に対する選局指示や前記アンプ２４に対する音量調節指示を出力する。
【００１９】
また，前記制御回路４は，前記リモコン７において電源キーの操作がなされたことを前記リモコン受光部６を通じて検知した場合，及びその検知から予め定められた時間が経過したことを検知した場合に，記通電切替回路８を制御することによって当該液晶テレビジョン受像機Ｘの通電状態を切り替える。
具体的には，前記制御回路４は，前記完全待機状態又は前記中間待機状態であるときに前記電源キーの操作を検知すると，通電状態を前記稼動状態に切り替える。
また，前記制御回路４は，前記稼動状態であるときに前記電源キーの操作を検知すると，通電状態を前記中間待機状態へ切り替える。
さらに，前記制御回路４は，通電状態を前記中間待機状態へ切り替えてから予め定められた時間が経過すると，通電状態を前記中間待機状態から前記完全待機状態へ切り替える。
また，前記制御回路４が，前記リモコン７を通じた入力情報に従って前記完全待機状態への切り替えを禁止する時刻帯である中間待機時刻帯を設定し，その設定情報を前記ＥＥＰＲＯＭ４ｃに記録する機能を備えることも考えられる。前記中間待機時刻帯には，当該液晶テレビジョン受像機Ｘの利用頻度の高い時刻帯が設定される。前記制御回路４は，不図示の計時回路により検出されれる現在時刻が前記中間待機時刻帯に属する場合，時間経過に基づく前記中間待機状態から前記完全待機状態への切り替えを行わない。これにより，利用頻度の高い時刻帯において，当該液晶テレビジョン受像機Ｘは常に短時間で起動する。
【００２０】
また，前記制御回路４は，前記映像処理回路１３は，前記第１サーミスタＳ１又は前記第２サーミスタＳ２（温度センサの一例）を通じて検出される前記参照温度に基づいて，前記加速駆動処理における前記階調信号の補正に用いられる補正パラメータを変更する処理を実行する。前記参照温度は，前記スイッチ回路５から出力される前記第１サーミスタＳ１又は前記第２サーミスタＳ２のいずれかの検出信号が示す温度である。
前記制御回路４が備える前記ＲＯＭ４ｂには，複数に区分された前記参照温度の温度域ごとに，図３に示されるような補正パラメータが設定された変換テーブルの情報が記憶されている。
そして，前記制御回路４は，前記参照温度の値に対応する前記変換テーブルを選択し，選択した変換テーブルを前記映像処理回路１３が備える不図示のレジスタに設定する。そして，前記映像処理回路１３は，前記制御回路４によりレジスタに設定された前記変換テーブルに従って，階調信号の変換，即ち，元の階調信号から前記液晶ドライバ１４に供給する階調信号への補正を行う。
【００２１】
また，前記制御回路４は，前記電源キーの操作に応じて当該液晶テレビジョン受像機Ｘが起動した際に，２つの起動パターンのうちのいずれのパターンで起動したかを判別する起動パターン判別処理を実行する。ここで，第１の起動パターンは，前記中間待機状態から前記稼動状態へ移行した起動パターンである。また，第２の起動パターンは，前記完全待機状態から前記稼動状態へ移行した起動パターンである。以下，前記第１の起動パターンをクイック起動パターンといい，前記第２の起動パターンを通常起動パターンという。起動パターンの判別は，前記電源キーの操作が検知された時点（前記稼動状態へ移行する直前）における前記通電切替回路８に対する制御指令の状態に基づいて行われる。
【００２２】
そして，前記制御回路４は，前記稼動状態への移行時に前記スイッチ回路５を制御することにより，当該液晶テレビジョン受像機Ｘが起動してから（前記稼動状態となってから）予め定められたセンサ切替条件が成立するまでの間における前記参照温度の検出用のサーミスタを選択する。
具体的には，前記制御回路４は，起動パターンの判別結果が前記クイック起動パターンである場合，前記第２サーミスタＳ２のみが前記参照温度を検出するセンサとなるよう前記スイッチ回路５を制御する。一方，前記制御回路４は，起動パターンの判別結果が前記通常起動パターンである場合，前記第１サーミスタＳ１のみが前記参照温度を検出するセンサとなるよう前記スイッチ回路５を制御する。
このように，前記制御回路４は，当該液晶テレビジョン受像機Ｘが起動してから前記センサ切替条件が成立するまでの間における前記参照温度の検出用のサーミスタを，それぞれ異なる基板（前記メイン制御基板Ｂ１及び前記インバータ回路基板Ｂ２）に実装された２つのサーミスタＳ１，Ｓ２の中から，前記起動パターンの判別結果に応じて選択する温度センサ選択処理を行う。
【００２３】
そして，前記制御回路４は，起動時に前記第２サーミスタＳ２を前記参照温度の検出用センサとして選択した場合，前記センサ切替条件が成立したか否かを随時判別する。そして，前記センサ切替条件が成立した際に，前記制御回路４は，前記参照温度の検出用センサを，前記第２サーミスタＳ２から前記第１サーミスタＳ１へ切り替える。なお，前記制御回路４は，起動時に前記第１サーミスタＳ１を前記参照温度の検出用センサとして選択した場合，その選択状態を保持する。
前記センサ切替条件としては，例えば，次の３つの条件のいずれかが考えられる。
前記センサ切替条件の第１の例は，前記参照温度が前記第１サーミスタＳ１の検出温度以上になったという条件である。
図２に示されるように，当該液晶テレビジョン受像機Ｘが前記クイック起動パターンで起動した場合，前記第２サーミスタＳ２の検出温度Ｔ２は，起動後しばらくすると前記第１サーミスタＳ１の検出温度Ｔ１’を超え，それ以降は前記液晶表示パネル１５の温度Ｔ０とは全く異なる挙動を示す。そこで，前記制御回路４は，前記参照温度である前記第２サーミスタＳ２の検出温度Ｔ２と前記第１サーミスタＳ１の検出温度Ｔ１’とを随時比較し，Ｔ２≧Ｔ１’となった場合（図２における時間ｔｐの時点）に，前記スイッチ回路５から前記第１サーミスタＳ１の検出信号が出力されるよう制御する。
例えば，前記制御回路４は，起動後，前記スイッチ回路５の信号選択状態を一時的に切り替えて前記第１サーミスタＳ１の検出温度Ｔ１’を取得する処理を定期的に実行する。さらに，前記制御回路４は，取得した検出温度Ｔ１’と，前記スイッチ回路５の信号選択状態を元に戻したときに得られる前記第２サーミスタＳ２の検出温度Ｔ２とを比較して，前記センサ切替条件を判別する。
【００２４】
また，前記センサ切替条件の第２の例は，前記参照温度である前記第２サーミスタＳ２の検出温度Ｔ２が予め設定された温度以上となったという条件である。
また，前記センサ切替条件の第２の例は，当該液晶テレビジョン受像機Ｘが起動してから予め定められた時間が経過したという条件である。
これら第２の例又は第３の例が前記センサ切替条件として採用された場合も，当該液晶テレビジョン受像機Ｘが定常運転に移行する過程で，前記参照温度の検出用センサが，前記第２サーミスタＳ２から前記第１サーミスタＳ１へ切り替えられる。
以上に示したように，前記参照温度の検出用センサを起動パターンに応じて選択する液晶テレビジョン受像機Ｘにおいては，その起動パターンに関わらず常に適切な前記加速駆動処理を実現できる。
【００２５】
ところで，前記制御回路４のＭＰＵ４ａが，２つのサーミスタＳ１，Ｓ２の温度検出信号の両方を入力し，前記起動パターンが前記クイック起動パターンである場合に，前記参照温度の検出用の温度センサとして，前記第１サーミスタＳ１及び前記第２サーミスタＳ２の両方を選択することも考えられる。この場合，前記制御回路４は，前記第１サーミスタＳ１の検出温度Ｔ１’と，前記第２サーミスタＳ２の検出温度Ｔ２の平均温度Ｔ１２’を前記参照温度として前記変換テーブル（図３参照）の切り替えを行う。なお，前記平均温度Ｔ１２’は，各温度の重みを均等（０．５）とした単純平均値の他，各温度に予め定められた異なる重みを設定して求められる加重平均値であることも考えられる。
【００２６】
図４は，液晶テレビジョン受像機Ｘの起動後における各基板Ｂ１，Ｂ２に実装された各サーミスタＳ１，Ｓ２の検出温度及びその平均温度の変化を表すグラフである。なお，図４に示される平均温度Ｔ１２’は，起動パターンが前記クイック起動パターンである場合の前記第１サーミスタＳ１の検出温度Ｔ１’と前記第２サーミスタＳ２の検出温度Ｔ２との単純平均値である。
図４に示されるように，起動パターンが前記クイック起動パターンである場合，前記平均温度Ｔ１２’は，起動後のしばらくの間は前記液晶表示パネル１５の温度Ｔ０と相関の高い挙動を示す。従って，起動してから前記センサ切替条件が成立するまでの間，複数のサーミスタの検出温度の平均値を前記参照温度として前記加速駆動処理を行うことも考えられる。
また，前記参照温度の検出用の温度センサの選択候補となる前記第２サーミスタＳ２が，前記端子基板Ｂ３に実装された構成も考えられる。
また，以上に示した実施形態では，起動パターンが２種類である場合について示した。これに対し，起動前（前記稼動状態となる前）の待機状態として，３つ以上の基板に実装された各部品への通電有無の違いによる３種類以上の待機状態をとり得る場合，前記制御回路４が，３種類以上の起動パターンを判別し，その判別結果に応じて，前記参照温度の検出に適した温度センサを選択することも考えられる。
【産業上の利用可能性】
【００２７】
本発明は，液晶テレビジョン受像機等の液晶表示装置に利用可能である。
【図面の簡単な説明】
【００２８】
【図１】本発明の実施形態に係る液晶表示装置の一例である液晶テレビジョン受像機Ｘの概略構成を表すブロック図。
【図２】液晶テレビジョン受像機Ｘにおける複数の基板に実装された温度センサの検出温度の変化を表すグラフ。
【図３】階調信号の変換テーブルの一例を表す図。
【図４】液晶テレビジョン受像機Ｘにおける複数の基板に実装された温度センサの検出温度及びその平均値の変化を表すグラフ。
【符号の説明】
【００２９】
Ｘ    ：液晶テレビジョン受像機
１    ：チューナ
２    ：外部信号入力部
３    ：復調・分離回路
４    ：制御回路
５    ：スイッチ回路
６    ：リモコン受光部
７    ：リモコン
８    ：通電切替回路
１１  ：映像復号回路
１２  ：映像選択回路
１３  ：映像処理回路
１４  ：液晶ドライバ
１５  ：液晶表示パネル
１６  ：調光回路（インバータ回路）
１７  ：バックライト
２１  ：音声復号回路
２２  ：音声選択回路
２３  ：音声処理回路
２４  ：アンプ
２５  ：スピーカ
Ｓ１  ：第１サーミスタ
Ｓ２  ：第２サーミスタ
Ｂ１  ：メイン制御基板
Ｂ２  ：インバータ回路基板
Ｂ３  ：端子基板
【図１】
2010002562.tif 000003
【図２】
2010002562.tif 000004
【図３】
2010002562.tif 000005
【図４】
2010002562.tif 000006